【手続補正書】
【提出日】平成20年8月22日(2008.8.22)
【手続補正１】
【補正対象書類名】明細書
【補正対象項目名】特許請求の範囲
【補正方法】変更
【補正の内容】
【特許請求の範囲】
【請求項１】  遊技場に設置される遊技機やその遊技機において実行される遊技を円滑に実行するために設置される付属装置などの装置と、その装置に直接または間接的に接続されると共に、前記装置の解錠を管理するホスト装置とを備えた錠管理システムにおいて、
錠情報を記憶する記憶媒体を備えており、
前記各装置は、その記憶媒体に記憶される錠情報を読み取る錠情報読取手段と、その錠情報読取手段により読み取った錠情報に基づいて、前記装置の解錠を実行すると共に、前記錠情報読取手段によって読み取った錠情報と解錠された装置の装置情報とを前記ホスト装置に送信する解錠実行手段とを備え、
その解錠実行手段を備えた前記装置の内２以上の異なる種類の装置は、前記１の記憶媒体から読み取った錠情報に基づいて解錠可能に構成されていることを特徴とする錠管理システム。
【請求項２】  前記記憶媒体に記憶される錠情報を登録する登録手段と、
その登録手段により登録された錠情報を記憶する錠情報記憶手段と、
その錠情報記憶手段に記憶される錠情報と前記錠情報読取手段により読み取った錠情報とを照合する照合手段とを備えており、
前記解錠実行手段は、前記照合手段による照合によって、前記錠情報記憶手段に記憶される錠情報と読み取った錠情報とが一致した場合に、その錠情報を読み取った装置における解錠を実行することを特徴とする請求項１記載の錠管理システム。
【請求項３】  前記ホスト装置は、前記記憶媒体を所持する所持者の情報と前記記憶媒体の錠情報とを対応つけて前記錠情報記憶手段に記憶しており、前記各装置から送信された錠情報と装置情報とを受信すると、受信した錠情報に対応して前記錠情報記憶手段に記憶される所持者の情報を読み出す所持者情報読出手段と、その所持者情報読出手段により読み出された所持者の情報と、受信した錠情報と装置情報とを対応つけて記憶する装置記憶手段とを備えていることを特徴とする請求項２記載の錠管理システム。
【請求項４】
前記ホスト装置は、前記錠情報読取手段によって読み取った錠情報にその読取時刻を付加する時刻付加手段を備えていることを特徴とする請求項２又は３に記載の錠管理システム。
【手続補正２】
【補正対象書類名】明細書
【補正対象項目名】０００６
【補正方法】変更
【補正の内容】
【０００６】
この請求項１記載の錠管理システムによれば、記憶媒体に記憶される錠情報は、遊技機や付属装置などの装置に備えられた錠情報読取手段により、読み取られる。そして、読み取りを実行した装置において、錠情報に基づく装置の解錠が解錠実行手段により実行される。かかる場合に、錠情報読取手段によって読み取った錠情報と解錠された装置の装置情報とは、解錠実行手段により、ホスト装置に送信される。
請求項２記載の錠管理システムは、請求項１記載の錠管理システムにおいて、前記記憶媒体に記憶される錠情報を登録する登録手段と、その登録手段により登録された錠情報を記憶する錠情報記憶手段と、その錠情報記憶手段に記憶される錠情報と前記錠情報読取手段により読み取った錠情報とを照合する照合手段とを備えており、前記解錠実行手段は、前記照合手段による照合によって、前記錠情報記憶手段に記憶される錠情報と読み取った錠情報とが一致した場合に、その錠情報を読み取った装置における解錠を実行する。
請求項３記載の錠管理システムは、請求項２記載の錠管理システムにおいて、前記ホスト装置は、前記記憶媒体を所持する所持者の情報と前記記憶媒体の錠情報とを対応つけて前記錠情報記憶手段に記憶しており、前記各装置から送信された錠情報と装置情報とを受信すると、受信した錠情報に対応して前記錠情報記憶手段に記憶される所持者の情報を読み出す所持者情報読出手段と、その所持者情報読出手段により読み出された所持者の情報と、受信した錠情報と装置情報とを対応つけて記憶する装置記憶手段とを備えている。
請求項４記載の錠管理システムは、請求項２又は３に記載の錠管理システムにおいて、前記ホスト装置は、前記錠情報読取手段によって読み取った錠情報にその読取時刻を付加する時刻付加手段を備えている。
【手続補正３】
【補正対象書類名】明細書
【補正対象項目名】００８６
【補正方法】変更
【補正の内容】
【００８６】
上記各実施例において、請求項１記載の解錠実行手段としては、Ｓ３６，Ｓ３７の処理が該当する。また、上記各実施例において、請求項２記載の登録手段としては、Ｓ９の処理が該当し、請求項２記載の照合手段としては、Ｓ３４の処理が該当する。また、上記各実施例において、請求項３記載の所持者情報読出手段としては、Ｓ２６の処理が該当し、請求項４ 記載の時刻付加手段としては、Ｓ４，Ｓ２７の処理が該当する。
【手続補正４】
【補正対象書類名】明細書
【補正対象項目名】０１０６
【補正方法】変更
【補正の内容】
【０１０６】
【発明の効果】  請求項１記載の錠管理システムによれば、遊技機や付属装置などの各装置の内、２以上の異なる種類の装置を、１の記憶媒体から読み取った錠情報に基づいて解錠することができる。よって、各装置を、個別の錠によりそれぞれ解錠する必要がない。このため、遊技場内の装置を管理するために必要となる錠を少なくすることができるので、錠の管理を容易とすることができるという効果がある。また、各装置の解錠作業における錠の選定を迅速に行うことができるので、各装置の解錠作業に費やす労力を軽減することができるという効果がある。
請求項２記載の錠管理システムによれば、請求項１記載の錠管理システムの奏する効果に加えて、次の効果を奏する。登録された錠情報によって装置の解錠を実行することができるので、不正な錠情報による装置の解錠を困難とすることができる。このため、不正な錠情報による装置の解錠を阻むことができ、不正行為に対するセキュリティを向上させることができるという効果がある。
請求項３記載の錠管理システムによれば、請求項２記載の錠管理システムの奏する効果に加えて、次の効果を奏する。各装置からは、解錠が実行されると錠情報と解錠された装置の装置情報とが送信される。また、錠情報とその錠情報の所持者（錠情報が記憶された記憶媒体の所持者）の情報とが対応つけられているので、錠管理システムでは、装置を解錠した錠情報と、その錠情報の所持者の情報と、解錠された装置情報とをホスト装置において、一元的に管理することができる。このため、装置記憶手段から該情報を読み出すことにより、誰がどの装置の解錠を実行したかという解錠履歴を確認することができ、不正解錠が行われた場合に、容易にこれを識別することができるという効果がある。
請求項４記載の錠管理システムによれば、請求項２又は３に記載の錠管理システムの奏する効果に加えて、次の効果を奏する。錠情報が読み取られる毎に、その錠情報に読取時刻が付加されるので、いつ、装置の解錠が実行されたかを知ることができる。よって、不正解錠が行われた場合に、容易にこれを識別することができるという効果がある。
【手続補正５】
【補正対象書類名】明細書
【補正対象項目名】符号の説明
【補正方法】変更
【補正の内容】
【符号の説明】
２                ホストコンピュータ（ホスト装置）
８ｄ 登録データメモリ（錠情報記憶手段）
８ｅ 勤務記録メモリ（錠情報記憶手段、装置記憶手段）
８ｆ〜８ｋ 装置メモリ（装置記憶手段）
１３，２６，３９  ＩＣカードリーダ（錠情報読取手段）
２０              遊技機、パチンコ機（遊技機）
２１              遊技機、スロットマシン（遊技機）
２２              カード読取ユニット（付属装置）
２３              ジェットカウンタ（付属装置）
２４              カード販売機（付属装置）
２５              両替機（付属装置）
５０              ＩＣカード（記憶媒体）